(57)【要約】【課題】ケーブル自体に十分裕度のある絶縁設計を施せない場合であっても、高い信頼性の接続部を形成することができる超電導ケーブルコアを提供する【解決手段】超電導導体12と、超電導導体12の外周を覆う絶縁層13とを備える超電導ケーブルコア10を、長手方向にケーブル部10kと、ケーブル部10kの両端部に位置して、他の導電部材と接続したときに補強絶縁構造が形成される接続構造形成部10cとに区分する。接続構造形成部10cは、超電導ケーブルコア10のうち、少なくとも超電導ケーブルコア10の端部から補強絶縁構造の端部までの範囲である。そして、接続構造形成部10cにおける絶縁層13の絶縁性能を、ケーブル部10kにおける絶縁層13の絶縁性能よりも高くする。【選択図】図２
2007287388.tif 000002
【特許請求の範囲】
【請求項１】
超電導導体と、超電導導体の外周を覆う絶縁層とを備える超電導ケーブルコアであって、
超電導ケーブルコアは、長手方向にケーブル部と、ケーブル部の両端部に位置して、他の導電部材と接続したときに補強絶縁構造が形成される接続構造形成部とに区分され、
接続構造形成部は、超電導ケーブルコアのうち、少なくとも超電導ケーブルコアの端部から補強絶縁構造の端部までの範囲であり、
接続構造形成部における絶縁層の絶縁性能を、ケーブル部における絶縁層の絶縁性能よりも高くしたことを特徴とする超電導ケーブルコア。
【請求項２】
接続構造形成部における絶縁層は、主絶縁層および主絶縁層と超電導導体との間に配置される内部絶縁層を備え、
内部絶縁層の誘電率が、主絶縁層の誘電率よりも高いことを特徴とする請求項１に記載の超電導ケーブルコア。
【請求項３】
さらに、接続構造形成部における主絶縁層の外周に、主絶縁層よりも誘電率が高い外部絶縁層を配置したことを特徴とする請求項２に記載の超電導ケーブルコア。
【請求項４】
絶縁層は、テープ状の絶縁部材を多層に巻回して形成されており、接続構造形成部の少なくとも一部において他の部分よりも厚く形成した箇所が存在することを特徴とする請求項１〜３のいずれかに記載の超電導ケーブルコア。
【請求項５】
接続構造形成部において隣接する絶縁部材のターンの重ね代を大きくすることで絶縁層の厚さを調節したことを特徴とする請求項４に記載の超電導ケーブルコア。
【請求項６】
請求項１〜５のいずれかに記載の超電導ケーブルコアと、
超電導ケーブルコアの外周に配置される二重管構造からなる断熱層とを有し、
この二重管の端部から接続構造形成部が突出するように構成したことを特徴とする超電導ケーブル。
【請求項７】
請求項６に記載の超電導ケーブルを使用して布設された超電導ケーブル線路であって、
この超電導ケーブル線路は、直流超電導ケーブル線路または交流超電導ケーブル線路のいずれかであることを特徴とする超電導ケーブル線路。
【発明の詳細な説明】
【技術分野】
【０００１】
本発明は、超電導ケーブルコアおよびこの超電導ケーブルコアを使用した超電導ケーブルの構造に関する。特に、超電導ケーブル同士を接続する中間接続部あるいは超電導ケーブルと他の電力機器とを接続する終端接続部において、絶縁性能の良い超電導ケーブルコアおよび超電導ケーブルの構造に関する。
【背景技術】
【０００２】
近年、電力ケーブルとして、常電導ケーブルよりも送電容量の高い超電導ケーブルを用いることが提案されている。超電導ケーブルとしては、例えば、特許文献１に記載のような3心の超電導ケーブルコアを撚り合せて断熱管に収納した構成の超電導ケーブルが挙げられる。
【０００３】
この超電導ケーブルコアは、中心から順にフォーマ、超電導導体、絶縁層、外部導体層、保護層を備えている。通常、超電導導体および外部導体層は、いずれも超電導線材にて形成されている。また、絶縁層は、絶縁紙を巻回して構成され、所望の絶縁性能を確保している。これら超電導導体、絶縁層、外部導体層は、ケーブルコアの全長に亘って均一な厚さを有している。
【０００４】
一方、断熱管は、内管と外管とからなる二重管の間に断熱材が配置され、且つ二重管内が真空引きされた構成である。さらに、断熱管の外側には防食層が形成されている。このような超電導ケーブルにおいて、通常、内管とケーブルコアとで囲まれる空間が冷媒の流路となる。
【０００５】
超電導ケーブルコアは、冷媒により極低温に冷却されて収縮するため、この収縮により超電導線材に張力が作用して超電導線材が損傷することがある。このため、多心コアの超電導ケーブルでは、各コアの撚り合わせを弛めて断熱管内に配置することでケーブルコアの収縮代を確保している。
【０００６】
このような超電導ケーブルを用いて長距離に亘る線路を構築する場合、線路の途中において、異なるケーブルから引き出したケーブルコア同士を接続する中間接続部や、線路の端部で他の電力機器（常電導導体などの導電部材）に接続する終端接続部が必要になる（以下、中間接続部および終端接続部を、単に接続部とする）。これら接続部では、超電導ケーブルコアの端部を段剥ぎして超電導導体を露出させる。次に、露出させた超電導導体と、この超電導導体と同様にして露出させた他の導電部材とを接続する。そして、露出させた導体の外周とその近傍を覆うように補強絶縁構造を形成する。通常、補強絶縁構造の両端部では、端部に向かって先細りのストレスコーン部を形成し、接続部での電界の集中を緩和している。
【０００７】
【特許文献１】特開２００６−５９６９５号公報（図５）
【発明の開示】
【発明が解決しようとする課題】
【０００８】
ところで、超電導ケーブルは、すでに常電導ケーブルが設けられている既存の管路に常電導ケーブルの代わりに布設されることが検討されている。このような事情から、超電導ケーブルは、すでに管路径の決まっている管路に引き込み可能なように外径が制約されていることが考えられる。それに伴い、ケーブルコアの外径も制約を受け、厚い絶縁層を設けることが困難なため、ケーブルコア自体に十分な裕度を持って絶縁設計することが難しい。
【０００９】
また、このような超電導ケーブルを使用して接続部を形成した場合、接続部の絶縁設計に裕度を確保することはより一層困難になる。そもそも、接続部では、超電導ケーブルコアの端部の段剥ぎされた部分に電界が局部的に集中して電気的弱点となる箇所が生じやすい。特に、補強絶縁構造におけるストレスコーン部の立ち上がり部分に電界が集中して、その箇所に十分な設計裕度が取れないことがある。そのため、より信頼性の高い接続部を形成できる超電導ケーブルの開発が望まれている。
【００１０】
そこで、本発明の主目的は、ケーブルの外径に制約がある場合であっても、信頼性の高い接続部を形成することができる超電導ケーブルコアを提供することにある。また、本発明の別の目的は、この超電導ケーブルコアを用いた超電導ケーブルおよび超電導ケーブル線路を提供することにある。
【課題を解決するための手段】
【００１１】
本発明は、ケーブルコアの端部を他の部分と異なる絶縁構造とすることで上記の目的を達成する。
【００１２】
本発明超電導ケーブルコアは、超電導導体と、超電導導体の外周を覆う絶縁層とを備える。本発明超電導ケーブルコアは、長手方向にケーブル部と、ケーブル部の両端部に位置して、他の導電部材と接続したときに補強絶縁構造が形成される接続構造形成部とに区分される。ここで、接続構造形成部は、超電導ケーブルコアのうち、少なくとも超電導ケーブルコアの端部から補強絶縁構造の端部までの範囲である。そして、接続構造形成部における絶縁層の絶縁性能を、ケーブル部における絶縁層の絶縁性能よりも高くしたことを特徴とする。
【００１３】
補強絶縁構造とは、接続部において段剥ぎにより露出された超電導導体とその近傍の外周を覆う絶縁部材で形成された構造を指す。補強絶縁構造は、超電導ケーブルコアの超電導導体と絶縁層の外周のうち、少なくとも段剥ぎされた部分全体を覆うように形成される。また、補強絶縁構造は、通常、両端部に向かって先細りのテーパ状に形成されたストレスコーン部を有しており、ストレスコーン部の立ち上がり部分（補強絶縁構造の端部）は、段剥ぎされていない絶縁層の外周に位置する。従って、ストレスコーン部が形成されている場合、本発明における超電導ケーブルコアの接続構造形成部は、少なくとも超電導ケーブルコアの端部からストレスコーンの立ち上がり部分までを指す。そして、超電導ケーブルコアのうち、上記接続構造形成部以外の部分がケーブル部である。
【００１４】
このように、超電導ケーブルの端部に位置する接続構造形成部をケーブル部と異なる絶縁構造に形成できるのは、超電導ケーブルの場合、接続部の形成に利用されるケーブル端部が特定できるからである。
【００１５】
常電導ケーブルの場合、任意の箇所で切断して接続部を形成できる。そのため、ケーブル線路の単位長に正確に合わせてケーブルを製造しているわけではなく、ケーブル出荷時にケーブル端部が特定されているとは限らない。一方、超電導ケーブルは、通常、真空断熱構造の断熱管を備えている。この断熱管を任意の位置で切断すれば、その真空状態が破壊されてしまうため、超電導ケーブルは線路の単位長に合わせて正確に長さを決めて製造される。そのため、超電導ケーブルではケーブルの端部が特定されており、接続部の形成に利用されるケーブル端部の絶縁特性を他の部分と変えることが比較的容易にできる。
【００１６】
そして、ケーブルコアにおける接続構造形成部の絶縁性能をケーブル部の絶縁性能よりも高くすることで、接続部を形成した際に、その接続部により大きな設計裕度を持たせることができる。
【００１７】
超電導ケーブルコアの接続構造形成部における絶縁性能をケーブル部のそれよりも高くするには、例えば、接続構造形成部における絶縁層の厚さを厚くして超電導導体と外部導体層との絶縁距離を確保したり、補強絶縁構造のストレスコーン部に電界が集中しないように構成すれば良い。
【００１８】
前者の場合、最も簡易には、接続構造形成部の絶縁層にテープ状絶縁部材を巻き足すことが挙げられる。この構成により、ケーブル端部の絶縁性能が補強され、接続部を形成した際、その接続部により高い絶縁設計裕度を持たせることができる。
【００１９】
後者の場合、代表的には、超電導導体の直上の位置に、他の部分よりも誘電率εが高い絶縁性の層を配置することが挙げられる。具体的には、絶縁層を主絶縁層と超電導導体直上の内部絶縁層とに区分し、内部絶縁層における誘電率を主絶縁層における誘電率よりも高くする。
【００２０】
このようになすことにより、絶縁層のうち、導体に近接して高い電界強度となる箇所の電気ストレスを緩和することができる。それに伴い、ケーブルの接続部では、ストレスコーンの絶縁設計により一層の裕度を持たせることができる。好ましくは、さらに主絶縁層を誘電率の異なる層に分割し、超電導導体直上から順に、誘電率εが高→中→低と並ぶようにする、いわゆるεグレーディングを施すと良い。
【００２１】
ところで、電力ケーブル（超電導ケーブルや常電導ケーブル）で送電を行なう場合、負極性の雷インパルスもしくは開閉インパルスがケーブル線路に印加され、絶縁層の外周に設けられる外部導体層（シールド層）の直下の位置が最大電界強度となる可能性がある。従って、本発明超電導ケーブルコアは、上記の可能性を考慮した構成を有することが好ましい。例えば、内部絶縁層に加えて、絶縁層の外周で外部導体層の直下に誘電率εを主絶縁層よりも高くした外部絶縁層を設けることが挙げられる。内部絶縁層と外部絶縁層の両方を設けてεグレーディングを形成する場合は、内部絶縁層、主絶縁層、外部絶縁層の誘電率εをそれぞれ、高、中、高とすることが好ましい。さらに、主絶縁層を複数層に分割して、εグレーディングを施しても良い。
【００２２】
その他、本発明ケーブルコアは、直流超電導ケーブル、交流超電導ケーブルのいずれにも適用できる。直流送電を想定した超電導ケーブルであれば、超電導導体直上の位置にある内部絶縁層の抵抗率ρを、絶縁層の他の部分（例えば、主絶縁層）における抵抗率ρと異なるようにすることが好ましい。超電導導体直上の内部絶縁層の抵抗率ρは、他の部分における抵抗率ρよりも低くても高くても良く、絶縁層全体で段階的に抵抗率ρが変化するようにすれば良い。特に、内部絶縁層の抵抗率ρを他の部分における絶縁層の抵抗率ρよりも低くした場合、内部絶縁層を含む絶縁層全体で電界を平滑化することができるので好ましい。超電導導体直上に抵抗率ρの低い絶縁層を形成する場合、代表的には、導体直上から順に、抵抗率ρが低→中→高と並ぶようにする、いわゆるρグレーディングを施すことが挙げられる。
【００２３】
上記ρグレーディングは、εグレーディングと組み合わせても良い。この場合、例えば、導体直上に高ε低ρの層を配置し、導体から離れた位置には低ε高ρの層を配置する。このような構成を有する超電導ケーブルによれば、直流および交流のいずれの場合でも絶縁性能の良い超電導ケーブル線路とすることができる。従って、一度布設した超電導ケーブル線路をいずれの送電形式でも安全に運転できる。例えば、交流送電に使用していた超電導ケーブルを直流送電に切り替えるときに、ケーブルの再布設を行う必要がないことはもちろん、接続部などに絶縁性能を向上させる補強も行なわなくても良い。
【００２４】
εグレーディングやρグレーディンを施すには、各絶縁層を構成する絶縁部材の材質を変化させることが挙げられる。代表的には、絶縁層をテープ状の絶縁部材により形成すれば、各層における誘電率εや抵抗率ρを調節し易い。例えば、クラフト紙は、その気密度を高くすると高ρ高εになる。一般的なクラフト紙の抵抗率ρ（20℃）は1014〜1017Ω・cm程度、誘電率εは3.2〜3.7程度である。一方、クラフト紙にプラスチックフィルムをラミネートした複合紙（例えばPPLP：住友電気工業株式会社の登録商標）は、複合紙全体に対するプラスチックの割合を高くすることで、ρが高くなり、εが低くなる。例えば、複合紙全体の厚みに対するプラスチックフィルムの比率kが60％の複合紙の抵抗率ρ（20℃）は、1017〜1019Ω・cm程度、誘電率εは、2.5〜3.0程度、同比率kが80％の複合紙の抵抗率ρ（20℃）は、1018〜1020Ω・cm程度、誘電率εは2.0〜2.5程度である。このような性質を考慮して、所望の特性を有する絶縁層を形成すれば良い。
【００２５】
接続構造形成部に巻足すテープ状絶縁部材は、テープ一枚分の厚さから絶縁性能の向上に効果がある。例えば、厚さが約125μmのPPLPであっても、この厚さ分だけ内部絶縁層を形成しただけでも接続構造形成部における絶縁性能の向上が認められる。巻足すテープ状絶縁部材の層数は、巻足す手間などを考慮に入れて１〜５層程度とすれば良い。好ましくは、高い電界が作用する箇所のテープ状絶縁部材の層数をより多くする。例えば、内部絶縁層であればケーブルコアの端部近傍を他の部分よりも厚く形成することが挙げられる。また、外部絶縁層であればストレスコーン部の立ち上がり部分を厚く形成することが挙げられる。
【００２６】
接続構造形成部における絶縁層の厚さを調節するには、代表的には、接続構造形成部における絶縁部材の重ね代を調節すると良い。ここで、重ね代とは、テープ状の絶縁部材を巻回したときに、あるターンと、そのターンに隣接するターンとが重なる幅である。即ち、重ね代を大きくすれば、絶縁部材の重複箇所が多くなるので、結果的に絶縁層の厚さが厚くなる。このとき、隣接する２つのターン間の重ね代に、この２つのターンに隣接するターンの端部が重なるようにすることで、効率的に絶縁層の厚さを厚くすることができる。
【００２７】
接続構造形成部におけるこれらの絶縁補強は、ケーブル製造時に形成しておくことが好ましい。予め接続構造形成部に絶縁補強を施しておくことにより、ケーブル布設現場での作業では事実上不可能な箇所に絶縁補強を行うことができ、かつ布設現場での絶縁補強作業を軽減することができる。主絶縁層をテープ状絶縁部材の巻回により形成している場合、超電導ケーブル線路の布設現場において、主絶縁層の下に内部絶縁層を形成するためには、主絶縁層の巻回を解かなければならない。そのため、巻回を解いて再度巻き直したりするときに、層間に空隙ができたり、皺がよったりして絶縁性能が低下する。なにより、主絶縁層の巻回は、非常に多層に形成されているため、布設現場で内部絶縁層を形成することは、事実上不可能である。ケーブル製造時であれば、このような箇所への絶縁補強も容易に行うことができる。
【００２８】
上述したように接続構造形成部を絶縁補強すると、接続構造形成部のみ径が大きくなる。しかし、本発明コアでは、このコアの局部的な大径化に関わらず、超電導ケーブルを構成した場合に、そのケーブル（断熱管）の外径を大きくしなくてもよい。その主な理由は次の通りである。
【００２９】
（１）多心コアの場合、端部ではコア同士の間隔を調整しやすい。
通常、多心コアの超電導ケーブルでは、ケーブル運用時の冷却に伴うコアの収縮を吸収するため、撚り合わせたケーブルコアの撚りに弛みを持たせている。そのため、ケーブルの端部では、各コアの間隔を調整しやすい。それに伴い、ケーブル端部のみ絶縁補強を施してコアの外径が多少大きくなっても、ケーブル端部におけるコア同士の間隔を小さくすることで全コアの包絡円径が大きくなることを回避できる。その結果、これらコアを収納する断熱管の外径が大きくなることも回避できる。
【００３０】
（２）超電導ケーブルの端部では真空断熱構造になってなくてもよい。
超電導ケーブルを管路内に布設する場合、通常、ケーブル端部にプーリングアイを取り付け、このプーリングアイを牽引することでケーブルを管路内に引き込んでいる。このプーリングアイは、断熱管の端部に補助管を継ぎ足し、その補助管に固定されることが多い。その際、補助管は真空断熱構造とする必要がなく、一重管で良い。そのため、補助管を断熱管の外管に沿って設ければ、補助管の内側は二重管となっている断熱管の内側よりも広い空間を確保できる。その結果、コアの端部が絶縁補強により局部的に太くなっても、断熱管の外径を変えることなく、コアの端部を補助管内に収納することができる。
【００３１】
そして、これらの事情を考慮すれば、超電導ケーブルコアの外周に二重管構造からなる断熱層を設けて超電導ケーブルとした場合、この二重管の端部から突出するように接続構造形成部を構成することが好ましい。接続構造形成部が二重管構造の断熱層の端部から突出していれば、ケーブル端部におけるコア同士の間隔調整や、接続構造形成部を収納する空間の確保を容易に行うことができる。
【００３２】
なお、本発明超電導ケーブルコアは、多心ケーブルに限らず単心ケーブルにも用いることができる。
【発明の効果】
【００３３】
本発明超電導ケーブルコアによれば、その端部に位置する接続構造形成部を局部的に絶縁補強しておくことで、中間接続部や終端接続部における絶縁性能を顕著に向上させることができる。従って、この超電導ケーブルコアを使用した超電導ケーブル線路の全線に亘って非常に高い安全性を確保することができる。特に、コア全長にわたってその外径を大きくする必要がなく、ケーブル（断熱管）外径も大きくする必要がないため、ケーブルを管路に引き込む際の作業性を阻害することもない。
【発明を実施するための最良の形態】
【００３４】
＜実施例１＞
本実施例では、超電導ケーブルコアの端部において、超電導導体直上に高誘電率の層を設けた超電導ケーブルと、この超電導ケーブルを用いた超電導ケーブル線路を図１〜４に基づいて説明する。
【００３５】
本例で使用する超電導ケーブルは、図1に示すように、3条の超電導ケーブルコア10を撚り合せて断熱管20の内部に収納した3心一括型の超電導ケーブル1である。
【００３６】
超電導ケーブルコア10は、中心から順に、フォーマ11、超電導導体12、絶縁層13、外部導体層14、保護層15を備える。フォーマ11には、素線絶縁された複数本の銅素線を撚り合わせた撚り線構造のフォーマとした。超電導導体12および外部導体層14には、厚さ0.24mm、幅3.8mmのBi2223系Ag-Mnシーステープ線材を使用した。このテープ線材をフォーマ11上に多層に巻回して超電導導体12を形成し、超電導導体12の外周に厚さ125μm、幅20mmのPPLP（住友電気工業株式会社の登録商標）を多層に巻回して絶縁層13を形成した。さらに、絶縁層13の外周にシーステープ線材を多層に巻回して外部導体層14を形成した。その他、図示していないが、超電導導体12と絶縁層13との間に内部半導電層が、絶縁層13と外部導体層14との間に外部半導電層が形成される。
【００３７】
この超電導ケーブルコアの両端部（接続構造形成部）において、超電導導体の直上（内部半導電層を設ける場合、内部半導電層の直上）に絶縁層よりも誘電率εが高く、抵抗率ρが低い内部絶縁層を形成した。図２は、超電導ケーブルコア10の端部を拡大した部分断面図である。超電導ケーブルコア10の中間部（図２の中央の点線から右）は、フォーマ11、超電導導体12、絶縁層13、外部導体層14、保護層15の全てが、長手方向に亘って均等な厚さであるケーブル部10kである。一方、超電導ケーブルコア10の端部（図２の点線から左）は、超電導導体12の直上に内部絶縁層13aを設けた接続構造形成部10cである。接続構造形成部10cにおける内部絶縁層13a以外の層の厚さはケーブルコア10の長手方向に均一である。また、接続構造形成部10cにおける主絶縁層13bは、ケーブル部10kから連続的に形成された絶縁層13である。
【００３８】
ここで、内部絶縁層13a、主絶縁層13bの誘電率εおよび抵抗率ρの関係は、以下に示す通りである。但し、ＡおよびＢは定数である。
誘電率ε          抵抗率ρ（20℃）
内部絶縁層        約1.5Ａ            約0.7ＢΩ・cm
主絶縁層                Ａ                ＢΩ・cm
【００３９】
内部絶縁層13aは、その厚さがケーブルコア10の端部に向かって徐々に厚くなるように巻回されたPPLPの層であり、主絶縁層13bを形成するPPLPとは誘電率εが異なる。具体的には、接続構造形成部10cの立ち上がり部分の位置にある内部絶縁層13aの厚さは、PPLP一枚分（約125μm）であり、接続構造形成部10cの端部における内部絶縁層13aの厚さは、PPLP五枚分（約625μm）である。なお、内部絶縁層13aの各部における厚さは、上記の厚さに限定されることはなく、接続部における電界の集中を緩和し、所望の裕度を確保することができるように適宜選択すれば良い。
【００４０】
超電導導体12の直上に誘電率εの高い内部絶縁層13aが形成されていることにより、電界強度の高い超電導導体12近傍での電界を緩和することができる。
【００４１】
一方、超電導ケーブルコア10を収納する断熱管20は、内管21と外管22からなる二重管構造を有している（図１を参照）。また、内管21と外管22との間にスーパーインシュレーションなどの断熱材を配置した。内管21と上述したケーブルコア10とで囲まれた空間16が冷媒の流路になる。そして、断熱管20の端部に仕切りを形成して、内管21と外管22との間を封止し、両者の間を真空引きすることで断熱層を形成した。外管22の外周には防食層23が設けられている。
【００４２】
このような超電導ケーブルの端部にプーリングアイを取り付けて、このプーリングアイを牽引することで超電導ケーブルを管路に引き込む。図３は、プーリングアイ100を取り付けた超電導ケーブル1の端部を示す部分拡大図である。なお、図３では、2心のケーブルコアしか図示していないが、実際には3心存在する。
【００４３】
ケーブルコア10の端部、即ち、接続構造形成部10cは、内管21と外管22とからなる断熱管20の端部から突出させた状態とし、突出させた接続構造形成部10cの外周を覆うように補助管50を配置した。そして、補助管50の一端を外管22に固定し、他端をプーリングアイ100に取り付けた。プーリングアイ100を取り付けるにあたり、断熱管20の端部から突出した接続構造形成部10cの端部を段剥ぎし、露出された超電導導体12の端部にキャップCを被せて、超電導導体12を保護すると共に、超電導導体12がばらけないようにした。また、フォーマ11をプーリングアイ100のコア固定部101に固定した。このような構成により、ケーブルコア10を牽引するときの張力を、主として補助管50に連なる断熱管20とフォーマ11に分担させるようにした。
【００４４】
プーリングアイ100が取り付けられる補助管50は、二重管構造である必要はないので、外管22の外径にほぼ一致した内径のものを使用した。この補助管50の内部の空間51は、断熱管20の内部の空間と比較して径方向に余裕があるので、内部絶縁層を巻き足して径の大きくなった接続構造形成部10cを補助管50内に収納することができた。従って、断熱管20の径（超電導ケーブル1の径）を大きくすることなく超電導ケーブル1を作製できた。
【００４５】
ここで、内部絶縁層13aの厚さをさらに厚くして、接続構造形成部10cの径を大きくした場合、各ケーブルコア10の撚りを絞めることにより補助管50内に収納することができる。このとき、ケーブルコアの撚りが絞まったとしても、ケーブル部10kで撚りの弛みを確保しているので、全体として十分なケーブルコアの撚りの弛みが確保されている。
【００４６】
次に、プーリングアイを牽引することで管路に引き込んだ超電導ケーブルを、他の導電部材と接続して、この接続部において補強絶縁構造を形成する。補強絶縁構造が形成される接続部としては、具体的には、一の超電導ケーブルと他の超電導ケーブルとを接続する中間接続部や、超電導ケーブルと他の電力機器とを接続する終端接続部が挙げられる。両接続部の構成は、基本的に、絶縁性のテープ状部材を巻回して補強絶縁層を形成する点、補強絶縁層の端部をペンシルダウン形状に形成する点で共通するため、ここでは、中間接続部のみを図４を参照して説明する。
【００４７】
図４に示すように、中間接続部30は、二本の超電導ケーブルコアの端部を接続部材32を介して導通させ、この接続部材32の外周の近傍を補強絶縁層31で覆った構成である。
【００４８】
この中間接続部30を形成するにあたり、まず初めに、ケーブルコアの端部（接続構造形成部の端部）を段剥ぎし、フォーマ11、超電導導体12、絶縁層13、外部導体層14を露出させた。フォーマ11と超電導導体12は、接続部材32を介して、他のフォーマ11と超電導導体12にそれぞれ接続される。絶縁層13の端部は、段剥ぎした部分で電界の集中を緩和するように、コアの端部側に向かって先細りのテーパ状であるペンシルダウン部13pを形成した。また、外部導体層14は、補強絶縁層31を形成できるように、ケーブル部10kと接続構造形成部10cの境界部分近傍まで超電導線材（シーステープ線材）の巻回を解いた状態とした。
【００４９】
次に、接続部材32、超電導導体12および絶縁層13（主としてペンシルダウン部13p）の外周を覆うように補強絶縁層31を形成した。補強絶縁層31には、両端部に向かって先細りのテーパ状に形成したストレスコーン部31pが形成されている。ストレスコーン部31の立ち上がり部分sは、電界が集中し易く、絶縁の弱点となり易い。
【００５０】
最後に、巻回を解いておいた外部導体層14が隣接するケーブル間で接続されるように、外部導体層14を補強絶縁層31の外周に延長して形成した。
【００５１】
以上、説明した中間接続部30では、超電導導体12の直上に高誘電率の内部絶縁層13aを設けることにより、電界強度の高い超電導導体12近傍での電界を緩和することができる。この部分ですでに電界を緩和していることにより、超電導導体12から比較的はなれた位置にあるストレスコーン部の立ち上がり部分sにおける電界強度も小さくすることができる。
【００５２】
さらに、内部絶縁層13aの抵抗率ρが主絶縁層13bの抵抗率ρと比較して小さいので、本例の超電導ケーブルにより直流送電を行なった場合、これら絶縁層13全体で電界を平滑化することができる。従って、中間接続部30における絶縁性能を向上させることができ、その結果、超電導ケーブル線路全体の信頼性を高めることができる。
【００５３】
また、すでに述べたように絶縁層13は、テープ状線材を多層に巻回して形成しており、ケーブルコア10の布設現場で多層に巻回された絶縁層13（主絶縁層13b）を解くことは非常に困難である。しかし、本発明超電導ケーブルコア10によれば、予め超電導導体12の直上に内部絶縁層13aを設けているので、超電導ケーブル線路の布設時に絶縁層（主絶縁層13b）の巻回を解く必要をなくすることができる。
【００５４】
＜実施例２＞
本例では、実施例１の構成に加えて、外部導体層の直下に絶縁層よりも誘電率εが高く、抵抗率ρが高い絶縁性の層（外部絶縁層）を設けた超電導ケーブルコアを説明する。なお、超電導ケーブルコアに外部半導電層を設ける場合、外部半導電層の直下に外部絶縁層を設ける。本例の超電導ケーブルコアは、外部絶縁層を設ける以外は、実施例１の超電導ケーブルコアと同一の構成を有するため、相違点についてのみ説明する。
【００５５】
図５は、本例の超電導ケーブルコアを用いた中間接続部を示す部分断面図である。図５に示すように、この超電導ケーブルコア10の主絶縁層13bと外部導体層14との間には、外部絶縁層13cが設けられている。外部絶縁層13cは、内部絶縁層13aと同様に、ケーブル部10kと接続構造形成部10cとの境界部分からケーブルコア10の端部に向かって徐々に厚くなるように形成されている。外部絶縁層13cをケーブルコアの端部に向かって厚くなるように形成するには、PPLP（登録商標）を巻回するときの重ね代を調節することで容易に行なうことができる。
【００５６】
上述した各絶縁層13a〜13cの誘電率εと抵抗率ρを以下に示す。但し、ＡおよびＢは定数である。
誘電率ε          抵抗率ρ（20℃）
内部絶縁層          約1.5Ａ            約0.8ＢΩ・cm
主絶縁層                  Ａ                ＢΩ・cm
外部絶縁層          約1.5Ａ            約1.2ＢΩ・cm
【００５７】
上記のように、誘電率εは、超電導導体12から外部導体層14に向かって、高→中→高となっている。従って、内部絶縁層13aの位置に加えて、外部絶縁層13cの位置でも電界を緩和できる。また、外部絶縁層13cが存在することにより、極性が反転した場合、即ち、外部導体層14から超電導導体12に向かって電界が形成された場合でも、効果的に電界を緩和することができる。
【００５８】
一方、抵抗率ρは、超電導導体12から外部導体層14に向かって低→中→高となっている。従って、本例の超電導ケーブル線路により直流送電を行なった場合、直流電界分布を絶縁層の厚さ方向に平滑化することができる。また、仮に、負極性の雷インパルスもしくは開閉インパルスがケーブル線路に印加され、絶縁層の外周に設けられる外部導体層14の直下の位置が最大電界強度となった場合でも、抵抗率ρの高い外部絶縁層13cにより最大電界強度に耐えることができる。
【００５９】
＜変形例２−１＞
本例では、実施例２の構成のうち、外部絶縁層の厚さを変化させた超電導ケーブル線路を説明する。この線路では、超電導ケーブルコアの外部絶縁層の構成が異なる以外、実施例２と同様であるため、図６を参照して相違点についてのみ説明する。
【００６０】
図６は、本例の超電導ケーブル（コア）を用いた中間接続部の近傍を示す部分断面図である。図に示すように、本例の外部絶縁層13cは、超電導ケーブルコア10の端部からケーブル部10kに向かって徐々に厚く形成され、ストレスコーン部31pの立ち上がり部分sの位置で最大の厚さとなっている。そして、立ち上がり部分sから接続構造形成部10cとケーブル部10kとの境界部分に向かって徐々に薄くなっている。ここで、外部絶縁層13cは、ストレスコーン部31pにおいて、段差が生じないように形成すると良い。
【００６１】
上記構成となすことにより、補強絶縁層31のうち、特に電界が集中し易いストレスコーンの立ち上がり部分sにおいて、効果的に電界を緩和することができる。従って、より信頼性の高い接続部を形成することができる。
【産業上の利用可能性】
【００６２】
本発明超電導ケーブルコアを備える超電導ケーブルは、既設の管路に布設可能なので、信頼性の高い超電導ケーブル線路に好適に利用可能である。また、本発明超電導ケーブル線路は、AC、DCの両方に好適に利用可能である。
【図面の簡単な説明】
【００６３】
【図１】超電導ケーブルの断面図である。
【図２】実施例１の超電導ケーブルコアの端部を示す部分断面図である。
【図３】実施例１の超電導ケーブルの端部にプーリングアイを取り付けた状態を示す説明図である。
【図４】実施例１の超電導ケーブル線路の中間接続部を示す部分断面図であり、（A）は概略構成図を、（B）は（A）の部分断面図を示す。
【図５】実施例２の超電導ケーブル線路の中間接続部を示す部分断面図である。
【図６】変形例２−１の超電導ケーブル線路の中間接続部を示す部分断面図である。
【符号の説明】
【００６４】
1  超電導ケーブル
10  超電導ケーブルコア  10k  ケーブル部  10c  接続構造形成部
11  フォーマ  12  超電導導体  13  絶縁層  14  外部導体層  15  防食層
20  断熱管  21  断熱内管  22  断熱外管  23  保護層
50  補助管  51  空間
100  プーリングアイ  101  コア固定部
30  中間接続部  31  補強絶縁層  31p  ストレスコーン部  32  接続部材
13p  ペンシルダウン部  13a  内部絶縁層  13b  主絶縁層  13c  外部絶縁層
【図１】
2007287388.tif 000003
【図２】
2007287388.tif 000004
【図３】
2007287388.tif 000005
【図４】
2007287388.tif 000006
【図５】
2007287388.tif 000007
【図６】
2007287388.tif 000008